(57)【要約】【課題】感光体の使用状態に応じて感光体の周面に対し必要かつ十分な研磨処理を施すことができる画像形成装置を提供する。【解決手段】複写機は、研磨モードにおいて軸心回りに回転する感光体ドラムの周面に供給されたトナーを研磨剤として用い所定の研磨ローラの軸心回りの回転で当該周面に研磨処理を施し得るように構成されており、感光体ドラム駆動時間計測部６００は、感光体ドラムの駆動時間を計測し、研磨条件制御部２２は、感光体ドラム駆動時間計測部６００によって計測された感光体ドラムの駆動時間に応じて研磨モード時における研磨条件を制御する。【選択図】図３
2007199258.tif 000002
【特許請求の範囲】
【請求項１】
画像形成モードにおいて軸心回りに回転する感光体の周面に対する所定の露光装置からの所定の画像情報に基づく露光処理により形成された静電潜像に所定の現像装置から現像ローラを介してトナーを供給することによって形成されたトナー像を用紙に転写する一方、研磨モードにおいて軸心回りに回転する感光体の周面に供給されたトナーを研磨剤として用い所定の研磨ローラの軸心回りの回転で当該周面に研磨処理を施し得るように構成された画像形成装置であって、
前記感光体の駆動時間及び前記感光体に帯電処理を施す帯電装置の電圧印加時間の少なくとも一方を計測する計測手段と、
前記計測手段によって計測された前記感光体の駆動時間及び前記帯電装置の電圧印加時間の少なくとも一方に応じて前記研磨モード時における研磨条件を制御する研磨条件制御手段とを備えることを特徴とする画像形成装置。
【請求項２】
前記帯電装置により帯電処理が施され、かつ前記露光処理が施されない状態での感光体の周面の表面電位をＶ０とし、前記現像装置内の現像ローラに印加される直流バイアス電圧をＶｄｃとした場合、前記研磨条件制御手段は、前記感光体の駆動時間及び前記帯電装置の電圧印加時間の少なくとも一方に応じて前記研磨モード時におけるＶ０−Ｖｄｃの値を変化させることを特徴とする請求項１記載の画像形成装置。
【請求項３】
前記研磨条件制御手段は、前記感光体の駆動時間及び前記帯電装置の電圧印加時間の少なくとも一方に応じて前記研磨モード時における前記研磨ローラと前記感光体との周速比を変化させることを特徴とする請求項１又は２記載の画像形成装置。
【請求項４】
前記研磨条件制御手段は、前記感光体の駆動時間及び前記帯電装置の電圧印加時間の少なくとも一方に応じて前記研磨モード時における前記研磨ローラの駆動時間を変化させることを特徴とする請求項１〜３のいずれかに記載の画像形成装置。
【発明の詳細な説明】
【技術分野】
【０００１】
本発明は、感光体を備えた複写機やプリンタ等の画像形成装置に関し、特に感光体の周面に対して研磨による清浄化処理を施し得るように構成された画像形成装置に関するものである。
【背景技術】
【０００２】
通常、複写機やプリンタ等の画像形成装置においては、軸心回りに回転している感光体（感光体ドラム）の周面近傍で行われる帯電器による放電により当該感光体周面に帯電処理を施すようになされている。この帯電処理が施された感光体の周面に露光装置から画像情報に基づく光が照射され、光が当たった部分の帯電状態の消滅によって静電潜像が形成される。この静電潜像に向けて現像装置からトナーが供給されることにより感光体の周面にトナー像が形成され、このトナー像が用紙に転写されるようになされている。
【０００３】
ところで、感光体の周面に極めて滑らかで、かつ、高硬度であるが、吸湿性が高いという特質を備えたアモルファスシリコン（ａ−Ｓｉ）層が形成されている場合（以下ａ−Ｓｉ層が形成された感光体をａ−Ｓｉ感光体という）には、帯電器の放電で発生した水溶性の放電生成物（例えばＮＯｘ等の酸化物、オゾン）が高い吸湿性によりａ−Ｓｉ感光体の周面に付着し易くなる。
【０００４】
そして、この放電生成物がａ−Ｓｉ感光体の周面に付着したままになると、当該ａ−Ｓｉ感光体の周面のトナー像が横に流れたようになる、所謂「画像流れ」が発生するというａ−Ｓｉ感光体特有の問題が生じる。因みに、通常の有機感光体（ＯＰＣ）を用いた場合には、放電生成物が付着しても下記研磨ローラとの摺接で感光体周面が削られて新しい面が形成され易いため、前記のような問題は生じ難い。
【０００５】
そこで、従来、周面がａ−Ｓｉ感光体の周面と当接するように研磨ローラを配設し、この研磨ローラの駆動回転でトナーに含まれている研磨剤によりａ−Ｓｉ感光体の周面を研磨処理することが定期的に行われる。かかる研磨処理に関しては、例えば、特許文献１〜３に記載されたものが知られている。
【０００６】
まず、特許文献１に記載のものは、研磨モードの運転時に研磨ローラを強制駆動する一方、通常の画像形成モードのときには時には当該研磨ローラを感光体に従動させるようにしている。こうすることで感光体の周面の清浄化処理を確保しつつ画像形成時におけるジッタ（時間的なゆらぎ）の発生を防止し得ると特許文献１に記載されている。
【０００７】
また、特許文献２に記載のものは、研磨モードの運転時にａ−Ｓｉ感光体の周面に形成させるソリッド画像（全面が同一色の、いわゆるベタ画像）の形成時間を温度や湿度に応じて種々変化させるようにしている。こうすることで温度及び湿度に応じた放電生成物の量に適合する研磨処理が実現すると特許文献２に記載されている。
【０００８】
さらに、特許文献３に記載のものは、研磨モードの運転時にａ−Ｓｉ感光体の周面に形成させるソリッド画像の形成時間のみならず、ソリッド画像の形成繰り返し回数を温度や湿度によって変化させるようにしている。こうすることで温度及び湿度に応じた必要十分な研磨用のトナーを得ることができ、トナーの無駄な消費をおさえることができると特許文献３に記載されている。
【特許文献１】特開２０００−８１８２０号公報
【特許文献２】特開２００２−１４５８９号公報
【特許文献３】特開２００３−３３０３１９号公報
【発明の開示】
【発明が解決しようとする課題】
【０００９】
しかしながら、特許文献１〜３に記載のａ−Ｓｉ感光体の研磨処理にあっては、印刷枚数を重ねていくに従ってａ−Ｓｉ感光体が劣化し、放電生成物を充分に除去することが困難となる。上記のように、放電生成物がａ−Ｓｉ感光体の周面に残留したままになると、画像流れ等の不具合が発生する虞がある。
【００１０】
また、特許文献１〜３に記載のａ−Ｓｉ感光体の研磨処理にあっては、研磨モードのときに帯電器により帯電されたａ−Ｓｉ感光体の周面の全面に対し露光装置から光が万遍なく照射され、これによって全面の帯電状態が解消された感光体の周面に現像装置からトナーが供給されるようになされている。従って、ａ−Ｓｉ感光体の周面には、全面に亘って均一に大量のトナーが付着したソリッド画像が形成された状態になる。
【００１１】
研磨モード時にこの大量のトナーが研磨ローラによる研磨処理の研磨材として使用されるため、ａ−Ｓｉ感光体の周面を必要かつ十分に研磨処理する量を超えてしまい、これによってトナーが無駄に消費されたり、研磨処理の実行中にトナー切れになってしまったりするという不都合が生じる虞がある。
【００１２】
本発明は、従来のかかる状況に鑑みなされたものであって、感光体の使用状態に応じて感光体の周面に対し必要かつ十分な研磨処理を施すことができる画像形成装置を提供することを目的としている。
【課題を解決するための手段】
【００１３】
本発明に係る画像形成装置は、画像形成モードにおいて軸心回りに回転する感光体の周面に対する所定の露光装置からの所定の画像情報に基づく露光処理により形成された静電潜像に所定の現像装置から現像ローラを介してトナーを供給することによって形成されたトナー像を用紙に転写する一方、研磨モードにおいて軸心回りに回転する感光体の周面に供給されたトナーを研磨剤として用い所定の研磨ローラの軸心回りの回転で当該周面に研磨処理を施し得るように構成された画像形成装置であって、前記感光体の駆動時間、及び前記感光体に帯電処理を施す帯電装置の電圧印加時間の少なくとも一方を計測する計測手段と、前記計測手段によって計測された前記感光体の駆動時間及び前記帯電装置の電圧印加時間の少なくとも一方に応じて前記研磨モード時における研磨条件を制御する研磨条件制御手段とを備える。
【００１４】
この構成によれば、感光体の周面に対して研磨処理を施す場合には、感光体を軸心回りに回転させた状態で現像装置から現像ローラを介して感光体の周面に研磨剤を含むトナーを供給し、この状態で周面が感光体の周面に当接した研磨ローラを軸心回りに回転させることにより、感光体の周面は研磨ローラのトナーを介した摺接で研磨され、付着していた放電生成物等が取り除かれて清浄化される。
【００１５】
そして、感光体の駆動時間及び感光体に帯電処理を施す帯電装置の電圧印加時間の少なくとも一方が計測され、計測された感光体の駆動時間及び帯電装置の電圧印加時間の少なくとも一方に応じて研磨モード時における研磨条件が制御される。したがって、感光体の駆動時間及び帯電装置の電圧印加時間の少なくとも一方に応じて研磨モード時における研磨条件が制御されるので、感光体の使用状態に応じて研磨条件を変更することができ、感光体の周面に対し必要かつ十分な研磨処理を施すことができる。
【００１６】
また、上記の画像形成装置において、前記帯電装置により帯電処理が施され、かつ前記露光処理が施されない状態での感光体の周面の表面電位をＶ０とし、前記現像装置内の現像ローラに印加される直流バイアス電圧をＶｄｃとした場合、前記研磨条件制御手段は、前記感光体の駆動時間及び前記帯電装置の電圧印加時間の少なくとも一方に応じて前記研磨モード時におけるＶ０−Ｖｄｃの値を変化させることが好ましい。
【００１７】
この構成によれば、研磨処理において、感光体の周面に対し露光しない状態での表面電位をＶ０とし、現像装置内の現像ローラに印加される直流バイアス電圧をＶｄｃとした場合、感光体の駆動時間及び帯電装置の電圧印加時間の少なくとも一方に応じて研磨モード時におけるＶ０−Ｖｄｃの値が変化される。例えば、感光体の駆動時間及び帯電装置の電圧印加時間の少なくとも一方が長くなるに従って、研磨モード時におけるＶ０−Ｖｄｃの値が小さくなるように直流バイアス電圧を制御する。これにより、感光体の周面とトナーとが同極の電荷を有している場合、研磨処理のときには、感光体との間の電位差が小さい分、均一にかつ少量のトナーを感光体の周面へ向かわせることが可能になる。このことは、種々の試験を行った結果確認されている。
【００１８】
したがって、従来、研磨モード時の現像ローラの電位を画像形成時のときと同一に設定し、かつ、感光体の周面を露光して電位を下げている場合には、感光体の周面の研磨処理には不必要な大量のトナーが研磨モード時に感光体の周面に供給されてしまい、これによってトナーが無駄に消費されてしまいメンテナンスコストが高騰するばかりか、研磨処理中にトナー切れになってしまって研磨処理を完遂させ得なくなるような不都合が生じることがあった。しかしながら、本発明においては、このような不都合の発生が有効に抑制され、研磨処理に必要かつ十分なトナーが感光体の周面に供給される。
【００１９】
また、上記の画像形成装置において、前記研磨条件制御手段は、前記感光体の駆動時間及び前記帯電装置の電圧印加時間の少なくとも一方に応じて前記研磨モード時における前記研磨ローラと前記感光体との周速比を変化させることが好ましい。
【００２０】
この構成によれば、感光体の駆動時間及び帯電装置の電圧印加時間の少なくとも一方に応じて研磨モード時における研磨ローラと感光体との周速比が変化される。例えば、感光体の駆動時間及び帯電装置の電圧印加時間の少なくとも一方が長くなるに従って、研磨ローラと感光体との周速比が大きくなるように研磨ローラ又は感光体の駆動を制御することにより、放電生成物を確実に除去することができ、感光体の周面に対して常に最適の研磨処理を施すことができる。
【００２１】
また、上記の画像形成装置において、前記研磨条件制御手段は、前記感光体の駆動時間及び前記帯電装置の電圧印加時間の少なくとも一方に応じて前記研磨モード時における前記研磨ローラの駆動時間を変化させることが好ましい。
【００２２】
この構成によれば、感光体の駆動時間及び帯電装置の電圧印加時間の少なくとも一方に応じて研磨モード時における研磨ローラの駆動時間が変化される。例えば、感光体の駆動時間及び帯電装置の電圧印加時間の少なくとも一方が長くなるに従って、研磨ローラの駆動時間が長くなるように研磨ローラの駆動を制御することにより、放電生成物を確実に除去することができ、感光体の周面に対して常に最適の研磨処理を施すことができる。
【発明の効果】
【００２３】
本発明によれば、感光体の駆動時間及び帯電装置の電圧印加時間の少なくとも一方に応じて研磨モード時における研磨条件が制御されるので、感光体の使用状態に応じて研磨条件を変更することができ、感光体の周面に対し必要かつ十分な研磨処理を施すことができる。
【発明を実施するための最良の形態】
【００２４】
以下、本発明の一実施の形態に係る画像形成装置について図面を参照しながら説明する。
【００２５】
（第１の実施の形態）
図１は、本発明に係る画像形成装置の一例である複写機１の内部構成の概要を説明するための正面断面視の説明図である。図１に示すように、複写機１は、本体部１０内に画像形成部１００、原稿読取部３００及び給紙部４００が内装されるとともに、本体部１０の上部に原稿給送部２００が設けられた基本構成を有している。画像形成部１００は、本体部１０の中央部に形成され、この本体部１０の後述する胴内排紙トレイ１３１を介した上部位置に原稿読取部３００が設けられているとともに、同下部位置に給紙部４００が形成されている。また、本体部１０の上部フロント位置に操作表示部５００が設けられている。
【００２６】
原稿読取部３００は、原稿の読み取りを行って当該原稿に対応する画像データを生成する。原稿読取部３００は、光学的に取得した原稿の画像から画像データを生成するＣＣＤ（ｃｈａｒｇｅ  ｃｏｕｐｌｅｄ  ｄｅｖｉｃｅ）イメージセンサ及び露光ランプ等を備えたスキャナ３０１などを備える。また、原稿読取部３００は、その上面に、原稿画像を読み取るための原稿が載置される第１プラテンガラス３０２と、原稿給送部２００のＡＤＦ（原稿自動読取装置）用の第２プラテンガラス３０３とを備えている。
【００２７】
原稿読取部３００は、第１プラテンガラス３０２上に載置された原稿、あるいは原稿給送部２００で第２プラテンガラス３０３へ向けて自動送給された原稿を走査しつつ取得した画像データを後述する主制御部２０へ出力する。
【００２８】
ＡＤＦを備えた原稿給送部２００は、第２プラテンガラス３０３の原稿読み取り位置へ原稿を給送するとともに、原稿読取部３００によって読み取られた原稿を原稿給送部２００の排出部へ排出する。原稿給送部２００は、装置の背面側を回動支点（回転中心軸）として原稿読取部３００の上面に対して可倒式に構成されており、第１及び第２プラテンガラス３０２，３０３の上面を開放するようになされ、第１プラテンガラス３０２の上面に、例えば見開き状態にされた書籍等のブック原稿を載置することが可能になっている。
【００２９】
給紙部４００は、画像形成部１００に対して転写処理用の用紙を給紙する。給紙部４００は、各サイズの用紙（記録紙）が収納される給紙カセット４０１，４０２と、本体部１０の一側方に開閉自在に構成された手差しトレイ４０３１等からなる手差し給紙部４０３とを備える。
【００３０】
給紙部４００は、各給紙カセット４０１，４０２から画像形成部１００へ用紙を搬送する搬送経路４０４と、手差し給紙部４０３から画像形成部１００へ用紙を搬送する搬送経路４０５とを備えている。各給紙カセット４０１，４０２及び手差し給紙部４０３は、収納されている用紙を取り出すためのピックアップローラ４０６，４０７，４０８、及び用紙を１枚ずつ各搬送経路に送り出す給紙ローラ４０９，４１０，４１１を備えている。搬送経路４０４には、用紙を搬送する搬送ローラ４１２，４１３及び搬送されてくる用紙を画像形成部１００の手前で待機させるためのレジストローラ４１４が設けられている。なお、搬送経路４０５は、搬送ローラ４１３とレジストローラ４１４との間で搬送経路４０４と合流している。
【００３１】
画像形成部１００は、給紙部４００又は手差し給紙部４０３から搬送されてきた用紙に対して所定の画像を形成する。画像形成部１００は、ドラムユニット部１１０及び定着部１２０を備えている。ドラムユニット部１１０の詳細については後述する。
【００３２】
定着部１２０は、ドラムユニット部１１０において用紙に転写されたトナー像を定着させる。定着部１２０は、ヒートローラ１２１及び周面がこのヒートローラ１２１の周面に対向配置された圧ローラ１２２を備える。用紙がこれらヒートローラ１２１と圧ローラ１２２とのニップ部に供給されることにより用紙上のトナー像がヒートローラ１２１からの熱を得て溶融し、用紙に定着される。
【００３３】
本体部１０と原稿読取部３００との間には、胴内排紙トレイ１３１が設けられているとともに、図１における左側部には機外排紙トレイ１３２が設けられている。定着部１２０から搬送されてきた用紙は、それぞれ排出ローラ１３３，１３４によって対象となる排紙トレイ１３１，１３２へ向けて排出される。なお、用紙の搬送方向は、排出分岐ガイド１３５によって、胴内排紙トレイ１３１向けの排出ローラ１３３側と機外排紙トレイ１３２向けの排出ローラ１３４側とに切り換え可能になっている。
【００３４】
操作表示部５００は、ユーザの操作に応じて所定の指示入力を行う。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなるディスプレイ５０３とを備えている。
【００３５】
図２は、ユニット構成されたドラムユニット部１１０の一実施の形態の概要を説明するための正面断面視の説明図である。図２に示すように、ドラムユニット部１１０は、感光体ドラム１０１と、この感光体ドラム１０１の周囲に直上位置から時計方向に向けて順次配設された帯電部（帯電装置）１０２、現像部（現像装置）１０３、クリーニング部１０４、露光部１０５、転写部１０６、除電部１０７及び直流バイアス電圧記憶部１０８を備える。
【００３６】
感光体ドラム（感光体）１０１は、軸心回りに同図中に示す矢印方向に回転可能に支持されている。本実施の形態においては感光体ドラム１０１として周面にアモルファスシリコン（ａ−Ｓｉ）が積層されてなるアモルファスシリコンドラム（ａ−Ｓｉドラム）が採用されている。ａ−Ｓｉドラムは、所定のドラム状の円筒体の表面にアモルファスシリコンの膜（例えば膜厚は２０μｍ）が蒸着等により積層されたものである。このａ−Ｓｉ膜は、膜表面硬度が例えばビッカース硬さで約１５００〜２０００と極めて高い硬度を有している。感光体ドラム１０１の周面は、帯電部１０２により約＋２５０Ｖに一様に帯電され、該周面上に露光部１０５からの光の照射で画像情報に応じた静電潜像が形成される。なお、感光体ドラム１０１は、約１８７ｍｍ／ｓｅｃのスピード（ドラム線速）で駆動回転されるようになっている。
【００３７】
帯電部１０２は、感光体ドラム１０１の表面を所定電位に均一に帯電させる。帯電部１０２は、感光体ドラム１０１の周面に対向配置された帯電ワイヤ１０２１を有している。この帯電ワイヤ１０２１に所定の電圧が印加されることによりコロナ放電で感光体ドラム１０１の周面（すなわちａ−Ｓｉ層）に一様な電荷が付与される。
【００３８】
現像部１０３は、露光部１０５からの光の照射で感光体ドラム１０１の周面に形成された静電潜像上にトナーを付着させて静電潜像を顕在化（現像）する。現像部１０３は、感光体ドラム１０１と僅かな隙間を介して対向配置された現像ローラ１０３１と、トナーを収納するトナー収納部１０３２と、現像ローラ１０３１の直上位置に配設された層規制ブレード１０３３とを備える。
【００３９】
層規制ブレード１０３３は、トナー収納部１０３２から現像ローラ１０３１上に供給されるトナー量が適正量となるように、すなわちトナーの薄層が形成されるようにトナー量を規制する。
【００４０】
通常の画像形成モード時における現像部１０３では、例えば周波数約６．０ｋＨｚで１．６ｋＶの交流バイアス電圧と、１８０Ｖの直流バイアス電圧Ｖｄｃとを現像ローラ１０３１に印加することでトナーを例えばプラスに帯電し、このトナーを現像ローラ１０３１上から感光体ドラム１０１周面の露光した部分（露光により電荷が除去されてなる静電潜像の部分）に吸着させる。これにより静電潜像がトナーによる実像に置き換えられて現像ローラ１０３１の周面にトナー像が形成されることになる。
【００４１】
クリーニング部１０４は、研磨ローラ１０４１及びクリーニングブレード１０４２等を備える。クリーニング部１０４は、用紙への画像の転写が終了した後の感光体ドラム１０１の周面に残留しているトナー（転写残トナー）をクリーニング（清浄化処理）する。具体的には、研磨ローラ１０４１は、例えばＥＰＤＭ（エチレンプロピレンゴム）材からなり、感光体ドラム１０１に摺接研磨しつつ回転し、該ドラム周面の放電生成物を除去する。また、クリーニングブレード１０４２は、その下端縁部１０４３を感光体ドラム１０１周面に圧接し、感光体ドラム１０１周面の残留トナーを機械的に除去する。
【００４２】
露光部１０５は、後述する画像記憶部３０等から送信されてきた画像データに基づき、露光レーザ１０５１を感光体ドラム１０１の周面に照射し、当該周面をレーザービームで走査して露光することにより感光体ドラム１０１周面に静電潜像を形成する。
【００４３】
転写部１０６は、感光体ドラム１０１に形成されたトナー像を用紙に転写する。転写部１０６は、感光体ドラム１０１の周面に対向配置され、かつ、トナー像とは逆電位の電圧が印加される転写ローラ１０６１を備えている。そして、矢印Ａ方向に搬送されてきた用紙は、転写ローラ１０６１によって感光体ドラム１０１に押し当てられる。これによって、現像部１０３において感光体ドラム１０１上に顕在化されたトナー像が静電気的に引き剥がされて用紙に転写される。なお、本実施の形態においては、顕在化された感光体ドラム１０１周面のトナー像は、転写ローラ１０６１において転写バイアス−２．５ｋＶで用紙上に転写される。
【００４４】
除電部１０７は、ＬＥＤ光等の除電用光線を感光体ドラム１０１の周面に照射することによって当該感光体ドラム１０１の周面を除電処理し、残留電荷を消去する。
【００４５】
そして、本発明においては、感光体ドラム１０１の周面の研磨処理のために複写機１の動作に関し特に設定された研磨モードにおいて、軸心回りに回転する感光体ドラム１０１の周面を、現像部１０３の現像ローラ１０３１から当該周面に供給された研磨剤を含むトナーを用いて研磨ローラ１０４１の軸心回りの回転で研磨処理することにより清浄化するようにしている。
【００４６】
そのために、研磨モードにおいては、感光体ドラム１０１の周面に対する帯電ワイヤ１０２１による帯電処理が実行された後に露光部１０５からの感光体ドラム１０１周面に対する露光処理が停止された状態で感光体ドラム１０１に向けて現像ローラ１０３１からトナーを供給するようにしている。感光体ドラム１０１の周面に対して露光処理が施されないので、感光体ドラム１０１の周面には帯電状態が消去されることによって形成される静電潜像が全く存在しない。従って、現像ローラ１０３１の電圧条件が画像形成モードのときの電圧条件のままではトナー収納部１０３２内のトナーが現像ローラ１０３１の周面から感光体ドラム１０１の周面に向けて飛翔することがなく、感光体ドラム１０１の周面に研磨処理用のトナーを確保することができなくなる。
【００４７】
そこで、本発明においては、帯電部１０２による帯電処理後の感光体ドラム１０１の周面であって、露光部１０５によって露光されない状態における当該周面の表面電位をＶ０、通常の画像形成モード時の現像部１０３内のトナーに現像ローラ１０３１を介して印加される直流バイアス電圧Ｖｄｃ１、研磨モードで現像部１０３内のトナーに現像ローラ１０３１を介して印加される直流バイアス電圧をＶｄｃ２とした場合、感光体ドラム１０１の周面に研磨処理を施す研磨モードにおいては、下記（１）〜（３）式を満足するように各電圧が設定される。
【００４８】
Ｖ０＞Ｖｄｃ１・・・（１）
Ｖ０＞Ｖｄｃ２・・・（２）
（Ｖ０−Ｖｄｃ１）＞（Ｖ０−Ｖｄｃ２）・・・（３）
すなわち、これら（１）〜（３）式の意味するところは、感光体ドラム１０１の周面と現像ローラ１０３１との間の電位差については、研磨モードのときの方が画像形成モードのときより小さくなるように設定されるということである。こうすることによって、研磨モードにおいては、画像形成モードのときより感光体ドラム１０１との間の電位差が小さい分、トナーを感光体ドラム１０１の周面へ向かわせることが可能になる。
【００４９】
つまり、従来のように、研磨モード時に現像ローラ１０３１に印加される直流バイアス電圧Ｖｄｃ２が画像形成モード時に現像ローラ１０３１に印加される直流バイアス電圧Ｖｄｃ１と同一の電位であるなら（すなわちＶｄｃ２＝Ｖｄｃ１（Ｖ０−Ｖｄｃ１＝Ｖ０−Ｖｄｃ２）であるなら）、研磨モード時に感光体ドラム１０１に対し露光部１０５による露光処理がない限り現像ローラ１０３１から感光体ドラム１０１へ向けてトナーが飛翔することはない。
【００５０】
これでは研磨処理用のトナーを感光体ドラム１０１の周面に確保することができなくなるため、研磨モード時の直流バイアス電圧Ｖｄｃ２を画像形成モードの直流バイアス電圧Ｖｄｃ１よりも高くして感光体ドラム１０１の表面電位Ｖ０に近付けるようにする。すなわち、感光体ドラム１０１の周面のプラスの帯電と、トナーのプラスの帯電との排斥力を弱くすることにより、現像ローラ１０３１の周面から感光体ドラム１０１の周面に向けてトナーを移し得るようにしている。
【００５１】
但し、上記の（２）式の条件によって、研磨モード時のトナーの直流バイアス電圧Ｖｄｃ２が感光体ドラム１０１の表面電位Ｖ０を超えることがないようになされている。もし、トナーの直流バイアス電圧Ｖｄｃ２が感光体ドラム１０１の表面電位Ｖ０より大きくなると、トナーが感光体ドラム１０１の周面に向けて静電気的な力で積極的に移動し得るようになる。すなわち、両者間の電位差の点で感光体ドラム１０１の周面に露光処理が施された場合と同様になる。これによって、従来と同様に大量のトナーが現像部１０３から感光体ドラム１０１へ供給されてしまう。そのため、かかる不都合をなくすべく上記の（２）式の条件が設定されているのである。
【００５２】
そして、上記の（１）〜（３）式の条件を満足するように電圧制御を行うことによって、本発明では、研磨モードにおける感光体ドラム１０１の周面に形成されるソリッド画像のトナー量は、従来の同ソリッド画像のトナー量より少なくすることができる。
【００５３】
従って、従来のように、研磨モード時の現像ローラ１０３１の電位を画像形成モードのときと同一に設定するとともに、感光体ドラム１０１の周面に対して露光部１０５による露光処理を実施している場合には、トナーと感光体ドラム１０１周面との間の大きな電位差により感光体ドラム１０１の周面の研磨処理には不必要な大量のトナーが研磨モード時に感光体ドラム１０１の周面に供給されてしまうこととなる。これによって、トナーが無駄に消費されてしまいメンテナンスコストが高騰するばかりか、研磨処理中にトナー切れになってしまって研磨処理を完遂させ得なくなるような不都合が生じることがある。しかしながら、本発明においては、このような不都合の発生が有効に抑制される。
【００５４】
さらに本発明においては、種々の試験を実施した結果、感光体ドラム１０１の周面の露光しない状態における表面電位Ｖ０と、研磨モード時に現像ローラ１０３１に印加される直流バイアス電圧Ｖｄｃ２との間の電位差（上記（３）式の右辺）、すなわち以下の（４）式におけるＶｄの値を、感光体ドラム１０１の駆動時間に応じて変化させるようにしている。
【００５５】
Ｖｄ＝Ｖ０−Ｖｄｃ２・・・（４）
このようにされるのは、以下の理由による。すなわち、感光体ドラム１０１の駆動時間が長くなるに従って、感光体ドラム１０１が劣化し、画像流れが増加することが種々の試験で確認されたためである。本実施の形態においては、感光体ドラム１０１の表面電位Ｖ０は不変とし、現像ローラ１０３１へ印加される直流バイアス電圧Ｖｄｃ２（すなわちトナーの電圧）を感光体ドラム１０１の駆動時間に応じて種々変化させている。
【００５６】
図３は、第１の実施の形態における複写機１の構成を示すブロック図である。複写機１は、図３に示すような装置全体の動作を制御するマイクロコンピュータからなる主制御部２０を備えている。主制御部２０は、複写機１の各種の動作に関し予め入力されたプログラムに基づき制御を実行する演算処理装置としてのＣＰＵ（中央演算処理装置）、複写機１の制御プログラムを記憶するＲＯＭ（リードオンリメモリ）、及び一時的にデータを保管するＲＡＭ（ランダムアクセスメモリ）等を備えて構成され、操作表示部５００等において入力された所定の指示情報や、各所に設けられた各種センサからの検出信号に応じて装置全体の制御を行う。
【００５７】
主制御部２０は、例えば所定期間、複写機１が使用されない（即ち、コピー動作が実行されない）場合に、複写機１各部を所謂スリープモードでの駆動状態に移行させる制御、或いはユーザがコピーを実行しようとした時点で当該スリープモードから自動的に通常印刷モードに復帰させる制御なども行う。また、主制御部２０は、画像形成部１００、原稿給送部２００、原稿読取部３００、給紙部４００、操作表示部５００、画像記憶部３０、形成された画像に対して所定の処理を施すべく設けられた画像処理部４０、及び研磨モードでの感光体ドラム１０１周面及び現像ローラ１０３１を対象とした電圧制御を行うための検出信号を得るべく設けられた感光体ドラム駆動時間計測部６００などに電気的に接続されている。
【００５８】
感光体ドラム駆動時間計測部６００は、感光体ドラム１０１の駆動時間を計測する。具体的には、感光体ドラム駆動時間計測部６００は、感光体ドラム１０１を回転駆動するモータ（感光体ドラム駆動部）がオンされている時間を計測する。画像記憶部３０は、原稿読取部３００によって読み取られた原稿の画像データや図略のネットワークＩ／Ｆ部等を介して外部装置から送信されてきた画像データを一時的に記憶するメモリである。
【００５９】
画像処理部４０は、画像データに対する各種画像処理、例えばガンマ処理や拡大縮小処理等を行う。画像処理部４０では、例えば原稿読取部３００によって読み取られた原稿画像に対する画像データのＡ／Ｄ変換が行われ、当該Ａ／Ｄ変換によって得られたデジタルデータを用いて各種画像処理が行われる。なお、画像形成部１００は、直流バイアス電圧記憶部１０８を含んでいる。
【００６０】
直流バイアス電圧記憶部１０８には、研磨モードにおいて感光体ドラム１０１の駆動時間に応じて現像ローラ１０３１に印加するべき直流バイアス電圧を設定したテーブルが記憶されている。このテーブルには、感光体ドラム１０１の駆動時間と、現像ローラ１０３１に印加するべき直流バイアス電圧とが対応付けられている。この直流バイアス電圧は、感光体ドラム１０１の駆動時間が長くなるに従って値が大きくなるように設定されている。
【００６１】
そして、主制御部２０は、感光体ドラム１０１に対して研磨処理を施すべきタイミングが到来したか否かを判別する研磨タイミング判別部２１と、この研磨タイミング判別部２１が研磨タイミングの到来を判別した場合、感光体ドラム１０１の駆動時間に応じて研磨条件を制御する研磨条件制御部２２を備える。研磨条件制御部２２は、直流バイアス電圧設定部２２１及び感光体ドラム駆動時間記憶部２２２を備える。
【００６２】
直流バイアス電圧設定部２２１は、感光体ドラム１０１の駆動時間に応じて現像ローラ１０３１に印加するべき直流バイアス電圧Ｖｄｃ２の値を設定するとともに、現像ローラ１０３１に対し電圧を印加する所定の電源装置１９（図２）へ制御信号を出力する。感光体ドラム駆動時間記憶部２２２は、感光体ドラム駆動時間計測部６００によって計測された感光体ドラム１０１の駆動時間を積算して記憶する。
【００６３】
具体的には、直流バイアス電圧設定部２２１は、感光体ドラム１０１の駆動時間が長くなるに従って、現像ローラ１０３１に印加するべき直流バイアス電圧Ｖｄｃ２の値が大きくなるように設定する。これにより、感光体ドラム１０１の駆動時間が長くなるに従って、感光体ドラム１０１の表面電位Ｖ０と直流バイアス電圧Ｖｄｃ２との電位差（Ｖ０−Ｖｄｃ２）が小さくなるように制御される。
【００６４】
研磨タイミング判別部２１が感光体ドラム１０１の周面に対する研磨タイミングを判別するために、本体部１０内の適所には、画像形成処理に供された用紙の枚数を検出する枚数センサ１８（図１）が設けられている。画像形成部１００に設けられたタイミング枚数記憶部１０９には、感光体ドラム１０１の周面に対して研磨処理を施すべき基準とされる上限用紙枚数が記憶されている。
【００６５】
そして、研磨タイミング判別部２１は、枚数センサ１８が画像形成処理に供された用紙を検出する都度、当該枚数を積算して積算値を記憶するとともに、当該積算値とタイミング枚数記憶部１０９が記憶している上限用紙枚数とを比較する。研磨タイミング判別部２１は、積算値が上限用紙枚数を超えたときに画像形成モードから研磨モードにモード変更する時期が到来したと判別する。この判別結果は、直流バイアス電圧設定部２２１へ出力される。
【００６６】
直流バイアス電圧設定部２２１は、研磨タイミング判別部２１から研磨モードへモード変更するべき時期が到来した旨の判別結果が入力されると、操作表示部５００からの所定の信号に基づき複写機１が画像形成処理を実行していない状態であることを確認の上、関連各所に画像形成モードから研磨モードにモード変更する旨の制御信号を出力する。これによって複写機１は、画像形成モードから研磨モードに自動的にモード変更されることになる。
【００６７】
なお、こうする代わりに、直流バイアス電圧設定部２２１は、研磨タイミング判別部２１から研磨モードへモード変更するべき時期が到来した旨の判別結果が入力されると、操作表示部５００に向けてモード変更時期到来の表示出力を行わせるようにし、オペレータがこの表示出力に基づき所定のキーの押釦操作で画像形成モードから研磨モードにモード変更が行われるようにしてもよい。
【００６８】
そして、画像形成モードから研磨モードにモード変更が行われると、直流バイアス電圧設定部２２１は、特に露光部１０５に対して光照射を行わせないための制御信号を出力する（つまり露光部１０５に向けて光照射を行わせるべき信号を出力しないようにする）。また、直流バイアス電圧設定部２２１は、感光体ドラム駆動時間記憶部２２２に記憶されている感光体ドラム１０１の駆動時間に基づき、直流バイアス電圧記憶部１０８が記憶しているテーブルから現像ローラ１０３１へ印加させるべき直流バイアス電圧Ｖｄｃ２を選択する。そして、直流バイアス電圧設定部２２１は、選択した直流バイアス電圧Ｖｄｃ２を印加させるべき制御信号を電源装置１９へ出力する。
【００６９】
従って、制御信号を受けた電源装置１９は、そのときの感光体ドラム１０１の駆動時間に対応した最適の値の直流バイアス電圧Ｖｄｃ２を現像ローラ１０３１へ出力する。そのため、この直流バイアス電圧Ｖｄｃ２が印加された現像ローラ１０３１から感光体ドラム１０１の周面に向けて適量のトナーが供給されることになる。
【００７０】
また、直流バイアス電圧設定部２２１にはタイマーが設けられている一方、画像形成部１００には研磨モードにおける研磨処理の時間（設定時間）を記憶する研磨時間記憶部１０９１が設けられている。
【００７１】
そして、直流バイアス電圧設定部２２１は、研磨モードの開始時にタイマーをスタートさせるとともに、タイマーの計時時間と研磨時間記憶部１０９１に記憶されている研磨処理の設定時間とを比較する。タイマーの計時時間が設定時間を経過したとき、直流バイアス電圧設定部２２１は、現像ローラ１０３１に対する電圧印加を中止させる制御信号を電源装置１９へ出力するとともに、関連各所に向けて研磨モードから画像形成モードへモード変更させるための信号を出力する。
【００７２】
以下、図４を基に研磨モードにおける感光体ドラム１０１の周面の研磨処理の流れについて説明する。図４は、研磨モードにおける感光体ドラム１０１周面の研磨処理の流れの一実施の形態を示すフローチャートである。このフローチャートにおいては、複写機１が画像形成モードに設定された状態をスタート時点としている。
【００７３】
まず、ステップＳ１において、研磨タイミング判別部２１は、画像形成処理された用紙の累積枚数がタイミング枚数記憶部１０９に記憶されている上限枚数を超えたか否かを判別する。ここで、累積枚数が上限枚数を超えていると判別された場合（ステップＳ１でＹＥＳ）、研磨タイミング判別部２１は、すでに感光体ドラム１０１の周面に研磨処理を施すべき時期が到来したと判断する。一方、累積枚数が上限枚数を超えていないと判別された場合（ステップＳ１でＮＯ）、所定時間間隔でステップＳ１の処理を繰り返し実行する。
【００７４】
次に、研磨処理の時期が到来したと判別された後、ステップＳ２において、研磨タイミング判別部２１は、感光体ドラム１０１の研磨処理を行っても支障のない状態になっているか否かを判別するべく当該複写機１がスリープモードに設定されているか否かを判別する。ここで、スリープモードに設定されていないと判別された場合（ステップＳ２でＮＯ）、ステップＳ３において、研磨タイミング判別部２１は、画像形成モードから研磨モードへのモード変更を行わずに、現状の画像形成モードを継続する。従って、たとえ用紙の積算枚数が上限枚数を超えていても、スリープモードになるまでの間については、上限枚数を超えて画像形成処理が継続されることになる。
【００７５】
一方、スリープモードに設定されていると判別された場合（ステップＳ２でＹＥＳ）、ステップＳ４において、研磨タイミング判別部２１は、関連機器に向けて現状の画像形成モードを研磨モードへモード変更するための制御信号を出力する。これにより、複写機１は、研磨モードに設定され、感光体ドラム１０１に対し研磨処理を施し得る態勢となる。具体的には、感光体ドラム１０１及び研磨ローラ１０４１がそれぞれ駆動回転しつつ帯電ワイヤ１０２１がコロナ放電を行うことにより、感光体ドラム１０１の周面に表面電位Ｖ０の電荷が形成される。
【００７６】
次に、ステップＳ５において、直流バイアス電圧設定部２２１は、感光体ドラム駆動時間記憶部２２２に記憶されている感光体ドラム１０１の駆動時間を読み出す。そして、直流バイアス電圧設定部２２１は、直流バイアス電圧記憶部１０８に記憶されている感光体ドラム１０１の駆動時間に応じて現像ローラ１０３１に印加するべき電圧を設定したテーブルを参照し、読み出した感光体ドラム１０１の駆動時間に対応する直流バイアス電圧Ｖｄｃ２を選択して設定する。直流バイアス電圧設定部２２１は、電源装置１９を介してこの直流バイアス電圧Ｖｄｃ２を現像ローラ１０３１に印加する。
【００７７】
次に、ステップＳ６において、主制御部２０は、研磨ローラ１０４１の駆動を開始するための制御信号を不図示の研磨ローラ駆動部へ出力する。研磨ローラ駆動部は、研磨ローラ１０４１を駆動する。このようにして、研磨剤としてのトナーを用いた感光体ドラム１０１の周面に対する研磨処理が実行されることになる。
【００７８】
次に、ステップＳ７において、直流バイアス電圧設定部２２１は、研磨時間記憶部１０９１に記憶されている予め設定された研磨時間と、タイマーが計時した計時時間とを比較し、計時時間が設定研磨時間を超えたか否かを判断する。ここで、計時時間が設定研磨時間を超えたと判断された場合（ステップＳ７でＹＥＳ）、ステップＳ８において、直流バイアス電圧設定部２２１は、研磨モードから画像形成モードにモード変更し、感光体ドラム１０１の周面に対する研磨処理を終了する。一方、計時時間が設定研磨時間を超えていないと判断された場合（ステップＳ７でＮＯ）、ステップＳ６の処理に戻り、継続して感光体ドラム１０１周面の研磨処理が実行される。
【００７９】
なお、本実施の形態では、感光体ドラム１０１の駆動時間に応じて直流バイアス電圧を変更しているが、本発明は特にこれに限定されない。帯電部１０２における帯電ワイヤ１０２１への電圧の印加時間が長くなるに従って、感光体ドラム１０１が劣化し、画像流れが増加することが種々の試験で確認されている。そこで、本実施の形態において、感光体ドラム１０１の表面電位Ｖ０は不変とし、現像ローラ１０３１へ印加される直流バイアス電圧Ｖｄｃ２（すなわちトナーの電圧）を、帯電部１０２の帯電ワイヤ１０２１への電圧の印加時間に応じて種々変化させてもよい。図５は、第１の実施の形態における複写機１の別の構成を示すブロック図である。図５において、図３に示す複写機１と同じ構成については同じ符号を付し、説明を省略する。
【００８０】
図５に示す複写機１は、図３の感光体ドラム駆動時間計測部６００に代えて帯電電圧印加時間計測部６０１を備える。また、研磨条件制御部２２は、帯電部１０２が備える帯電ワイヤ１０２１への電圧印加時間に応じて研磨条件を制御し、直流バイアス電圧設定部２２１及び帯電電圧印加時間記憶部２２３を備える。帯電電圧印加時間計測部６０１は、帯電部１０２の帯電ワイヤ１０２１への電圧の印加時間を計測する。帯電電圧印加時間記憶部２２３は、帯電電圧印加時間計測部６０１によって計測された帯電部１０２の帯電ワイヤ１０２１への電圧の印加時間を積算して記憶する。
【００８１】
直流バイアス電圧設定部２２１は、帯電部１０２の帯電ワイヤ１０２１への電圧の印加時間に応じて現像ローラ１０３１に印加するべき直流バイアス電圧Ｖｄｃ２の値を設定するとともに、現像ローラ１０３１に対し電圧を印加する所定の電源装置１９（図２）へ制御信号を出力する。
【００８２】
具体的には、直流バイアス電圧設定部２２１は、帯電部１０２の帯電ワイヤ１０２１への電圧の印加時間が長くなるに従って、現像ローラ１０３１に印加するべき直流バイアス電圧Ｖｄｃ２の値が大きくなるように設定する。これにより、帯電部１０２の帯電ワイヤ１０２１への電圧の印加時間が長くなるに従って、感光体ドラム１０１の表面電位Ｖ０と直流バイアス電圧Ｖｄｃ２との電位差（Ｖ０−Ｖｄｃ２）が小さくなるように制御される。
【００８３】
直流バイアス電圧記憶部１０８には、研磨モードにおいて帯電部１０２の帯電ワイヤ１０２１への電圧の印加時間に応じて現像ローラ１０３１に印加するべき直流バイアス電圧を設定したテーブルが記憶されている。このテーブルには、帯電部１０２の帯電ワイヤ１０２１への電圧の印加時間と、現像ローラ１０３１に印加するべき直流バイアス電圧とが対応付けられている。この直流バイアス電圧は、帯電部１０２の帯電ワイヤ１０２１への電圧の印加時間が長くなるに従って値が大きくなるように設定されている。
【００８４】
ここで、第１の実施の形態の変形例における感光体ドラム１０１の周面の研磨処理の流れについて図４を用いて説明する。なお、ステップＳ１〜Ｓ４，Ｓ６〜Ｓ８の処理は同じであるので説明を省略する。ステップＳ５において、直流バイアス電圧設定部２２１は、帯電電圧印加時間記憶部２２３に記憶されている帯電部１０２の帯電ワイヤ１０２１への電圧の印加時間を読み出す。そして、直流バイアス電圧設定部２２１は、直流バイアス電圧記憶部１０８に記憶されている帯電部１０２の帯電ワイヤ１０２１への電圧の印加時間に応じて現像ローラ１０３１に印加するべき電圧を設定したテーブルを参照し、読み出した帯電部１０２の電圧印加時間に対応する直流バイアス電圧Ｖｄｃ２を選択して設定する。直流バイアス電圧設定部２２１は、電源装置１９を介してこの直流バイアス電圧Ｖｄｃ２を現像ローラ１０３１に印加する。
【００８５】
以上詳述したように、本発明に係る複写機１は、軸心回りに回転する感光体ドラム１０１の周面を、現像部１０３から当該周面に付与された研磨剤を含むトナーを用い周面が感光体ドラム１０１の周面に当接した研磨ローラ１０４１の軸心回りの回転で研磨することにより清浄化処理し得るように構成されている。
【００８６】
かかる構成によれば、感光体ドラム１０１の周面に対して研磨処理を施す場合には、感光体ドラム１０１を軸心回りに回転させた状態で、現像部１０３から感光体ドラム１０１の周面に研磨剤を含むトナーが供給される。この状態で、周面が感光体ドラム１０１の周面に当接した研磨ローラ１０４１を軸心回りに回転させることにより、感光体ドラム１０１の周面は研磨ローラ１０４１のトナーを介した摺接で研磨される。これによって感光体ドラム１０１の周面は、付着していた放電生成物等が取り除かれて清浄化される。
【００８７】
そして、感光体ドラム１０１の駆動時間及び感光体ドラム１０１に帯電処理を施す帯電部１０２の電圧印加時間の少なくとも一方が計測され、計測された感光体ドラム１０１の駆動時間及び帯電部１０２の電圧印加時間の少なくとも一方に応じて研磨モード時における研磨条件が制御される。したがって、感光体ドラム１０１の駆動時間及び帯電部１０２の電圧印加時間の少なくとも一方に応じて研磨モード時における研磨条件が制御されるので、感光体ドラム１０１の使用状態に応じて研磨条件を変更することができ、感光体ドラム１０１の周面に対し必要かつ十分な研磨処理を施すことができる。
【００８８】
また、研磨処理において、感光体ドラム１０１の周面に対し露光しない状態での表面電位をＶ０とし、現像部１０３内の現像ローラ１０３１に印加される直流バイアス電圧をＶｄｃとした場合、感光体ドラム１０１の駆動時間及び帯電部１０２の電圧印加時間の少なくとも一方に応じて研磨モード時におけるＶ０−Ｖｄｃの値が変化される。例えば、感光体ドラム１０１の駆動時間及び帯電部１０２の電圧印加時間の少なくとも一方が長くなるに従って、研磨モード時におけるＶ０−Ｖｄｃの値が小さくなるように直流バイアス電圧を制御する。これにより、感光体ドラム１０１の周面とトナーとが同極の電荷を有している場合、研磨処理のときには、感光体ドラム１０１との間の電位差が小さい分、均一にかつ少量のトナーを感光体ドラム１０１の周面へ向かわせることが可能になる。このことは、種々の試験を行った結果確認されている。
【００８９】
つまり、従来のように、研磨モード時にトナーに印加される直流バイアス電圧Ｖｄｃ２が画像形成モード時にトナーに印加される直流バイアス電圧Ｖｄｃ１と同一の電位であるなら（すなわちＶｄｃ２＝Ｖｄｃ１（Ｖ０−Ｖｄｃ１＝Ｖ０−Ｖｄｃ２）であるなら）、研磨モード時に感光体ドラム１０１に対し露光処理がない限りトナーが感光体ドラム１０１へ向けて飛翔することはない。これでは研磨処理用のトナーを感光体ドラム１０１の周面に確保することができなくなるため、研磨モード時の直流バイアス電圧Ｖｄｃ２を画像形成時の直流バイアス電圧Ｖｄｃ１よりも高くして感光体ドラム１０１の表面電位Ｖ０に近付けるようにする。すなわち、感光体ドラム１０１の周面のプラスの帯電と、トナーのプラスの帯電との排斥力を弱くする。これによって現像ローラ１０３１の周面から感光体ドラム１０１の周面に向けてトナーを移し得るようにしているのである。
【００９０】
したがって、従来、研磨モード時の現像ローラ１０３１の電位を画像形成時のときと同一に設定し、かつ、感光体ドラム１０１の周面を露光して電位を下げている場合には、感光体ドラム１０１の周面の研磨処理には不必要な大量のトナーが研磨モード時に感光体ドラム１０１の周面に供給されてしまい、これによってトナーが無駄に消費されてしまいメンテナンスコストが高騰するばかりか、研磨処理中にトナー切れになってしまって研磨処理を完遂させ得なくなるような不都合が生じることがあった。しかしながら、本発明においては、このような不都合の発生が有効に抑制され、研磨処理に必要かつ十分なトナーが感光体の周面に供給される。
【００９１】
なお、本実施の形態において、直流バイアス電圧設定部２２１は、感光体ドラム１０１の駆動時間と、帯電部１０２の電圧印加時間との両方に応じて直流バイアス電圧を変更してもよい。
【００９２】
（第２の実施の形態）
次に、本発明の第２の実施の形態に係る画像形成装置について説明する。上述した第１の実施の形態では、感光体ドラム１０１の駆動時間、及び帯電部１０２の電圧印加時間のうちの少なくとも一方に応じて直流バイアス電圧を変更している。これに対し、第２の実施の形態では、感光体ドラム１０１の駆動時間、及び帯電部１０２の電圧印加時間のうちの少なくとも一方に応じて研磨ローラと感光体ドラムとの周速比を変更する。
【００９３】
図６は、第２の実施の形態における複写機１の構成を示すブロック図である。なお、図６において、図３と同じ構成については同じ符号を付し、説明を省略する。主制御部２０には、感光体ドラム駆動部７００及び研磨ローラ駆動部７０１が接続されている。研磨条件制御部２２は、感光体ドラム駆動時間記憶部２２２及び回転速度設定部２２４を備える。画像形成部１００は、タイミング枚数記憶部１０９、周速比記憶部１１１及び研磨時間記憶部１０９１を備える。
【００９４】
感光体ドラム駆動部７００は、感光体ドラム１０１を軸心回りに回転駆動する。研磨ローラ駆動部７０１は、研磨ローラ１０４１を軸心回りに回転駆動する。回転速度設定部２２４は、感光体ドラム１０１の駆動時間に応じて、研磨ローラ１０４１の回転速度と感光体ドラム１０１の回転速度との比率が所定の周速比となるように、研磨ローラ１０４１の回転速度を設定するとともに、設定した回転速度で研磨ローラ１０４１を駆動するべく研磨ローラ駆動部７０１へ制御信号を出力する。なお、研磨モード時における感光体ドラム１０１の回転速度は、通常の画像形成モード時の回転速度と同じであり、研磨ローラ１０４１の回転速度のみを変更する。
【００９５】
具体的には、回転速度設定部２２４は、感光体ドラム１０１の駆動時間が長くなるに従って、研磨ローラ１０４１の回転速度が感光体ドラム１０１の回転速度よりも速くなるように設定する。これにより、感光体ドラム１０１の駆動時間が長くなるに従って、研磨ローラ１０４１の回転速度が感光体ドラム１０１の回転速度よりも速くなるように制御される。
【００９６】
周速比記憶部１１１には、研磨モードにおいて感光体ドラム１０１の駆動時間に応じて、研磨ローラ１０４１と感光体ドラム１０１との周速比を設定したテーブルが記憶されている。このテーブルには、感光体ドラム１０１の駆動時間と、研磨ローラ１０４１と感光体ドラム１０１との周速比とが対応付けられている。この周速比は、感光体ドラム１０１の駆動時間が長くなるに従って研磨ローラ１０４１の回転速度が感光体ドラム１０１の回転速度よりも速くなるように設定されている。
【００９７】
ここで、第２の実施の形態における感光体ドラム１０１の周面の研磨処理の流れについて図４を用いて説明する。なお、ステップＳ１〜Ｓ４，Ｓ７，Ｓ８の処理は同じであるので説明を省略する。
【００９８】
ステップＳ５において、回転速度設定部２２４は、感光体ドラム駆動時間記憶部２２２に記憶されている感光体ドラム１０１の駆動時間を読み出す。そして、回転速度設定部２２４は、周速比記憶部１１１に記憶されている感光体ドラム１０１の駆動時間に応じて研磨ローラ１０４１と感光体ドラム１０１との周速比を設定したテーブルを参照し、読み出した感光体ドラム１０１の駆動時間に対応する周速比を選択する。回転速度設定部２２４は、感光体ドラム１０１の回転速度を予め記憶しており、選択した周速比に基づいて、研磨ローラ１０４１の回転速度を設定する。
【００９９】
すなわち、回転速度設定部２２４は、周速比記憶部１１１に記憶されているテーブルから選択した周速比を、予め記憶されている感光体ドラム１０１の回転速度に乗算することにより、研磨ローラ１０４１の回転速度を算出して設定する。回転速度設定部２２４は、設定した回転速度で研磨ローラ１０４１を駆動するための制御信号を研磨ローラ駆動部７０１へ出力する。
【０１００】
次に、ステップＳ６において、回転速度設定部２２４は、設定した回転速度で研磨ローラ１０４１を駆動するための制御信号を研磨ローラ駆動部７０１へ出力する。研磨ローラ駆動部７０１は、設定された回転速度で研磨ローラ１０４１を駆動する。このようにして、研磨剤としてのトナーを用いた感光体ドラム１０１の周面に対する研磨処理が実行されることになる。
【０１０１】
なお、本実施の形態では、感光体ドラム１０１の駆動時間に応じて、研磨ローラ１０４１の回転速度と感光体ドラム１０１の回転速度との比率が所定の周速比となるように、研磨ローラ１０４１の回転速度を設定しているが、本発明は特にこれに限定されない。回転速度設定部２２４は、感光体ドラム１０１の駆動時間に応じて、研磨ローラ１０４１の回転速度と感光体ドラム１０１の回転速度との比率が所定の周速比となるように、感光体ドラム１０１の回転速度を設定し、設定した回転速度で感光体ドラム１０１を駆動するべく感光体ドラム駆動部７００へ制御信号を出力してもよい。
【０１０２】
また、回転速度設定部２２４は、感光体ドラム１０１の駆動時間に応じて、研磨ローラ１０４１の回転速度と感光体ドラム１０１の回転速度との比率が所定の周速比となるように、研磨ローラ１０４１及び感光体ドラム１０１の回転速度を設定し、設定した回転速度で研磨ローラ１０４１及び感光体ドラム１０１を駆動するべく研磨ローラ駆動部７０１及び感光体ドラム駆動部７００へ制御信号を出力してもよい。
【０１０３】
さらに、本実施の形態では、感光体ドラム１０１の駆動時間に応じて研磨ローラ１０４１と感光体ドラム１０１との周速比を変更しているが、本発明は特にこれに限定されない。帯電部１０２の帯電ワイヤ１０２１への電圧の印加時間に応じて研磨ローラ１０４１と感光体ドラム１０１との周速比を変更してもよい。図７は、第２の実施の形態における複写機１の別の構成を示すブロック図である。図７において、図５及び図６に示す複写機１と同じ構成については同じ符号を付し、説明を省略する。
【０１０４】
図７に示す複写機１は、図６の感光体ドラム駆動時間計測部６００に代えて帯電電圧印加時間計測部６０１を備える。また、研磨条件制御部２２は、帯電部１０２が備える帯電ワイヤ１０２１への電圧印加時間に応じて研磨条件を制御し、回転速度設定部２２４及び帯電電圧印加時間記憶部２２３を備える。回転速度設定部２２４は、帯電部１０２の帯電ワイヤ１０２１への電圧の印加時間に応じて、研磨ローラ１０４１の回転速度と感光体ドラム１０１の回転速度との比率が所定の周速比となるように、研磨ローラ１０４１の回転速度を設定するとともに、設定した回転速度で研磨ローラ１０４１を駆動するべく研磨ローラ駆動部７０１へ制御信号を出力する。
【０１０５】
具体的には、回転速度設定部２２４は、帯電部１０２の帯電ワイヤ１０２１への電圧の印加時間が長くなるに従って、研磨ローラ１０４１の回転速度が感光体ドラム１０１の回転速度よりも速くなるように設定する。これにより、帯電部１０２の帯電ワイヤ１０２１への電圧の印加時間が長くなるに従って、研磨ローラ１０４１の回転速度が感光体ドラム１０１の回転速度よりも速くなるように制御される。
【０１０６】
周速比記憶部１１１には、研磨モードにおいて帯電部１０２の帯電ワイヤ１０２１への電圧の印加時間に応じて、研磨ローラ１０４１と感光体ドラム１０１との周速比を設定したテーブルが記憶されている。このテーブルには、帯電部１０２の帯電ワイヤ１０２１への電圧の印加時間と、研磨ローラ１０４１と感光体ドラム１０１との周速比とが対応付けられている。この周速比は、帯電部１０２の帯電ワイヤ１０２１への電圧の印加時間が長くなるに従って研磨ローラ１０４１の回転速度が感光体ドラム１０１の回転速度よりも速くなるように設定されている。
【０１０７】
ここで、第２の実施の形態の変形例における感光体ドラム１０１の周面の研磨処理の流れについて図４を用いて説明する。なお、ステップＳ１〜Ｓ４，Ｓ６〜Ｓ８の処理は同じであるので説明を省略する。
【０１０８】
ステップＳ５において、回転速度設定部２２４は、帯電電圧印加時間記憶部２２３に記憶されている帯電部１０２の帯電ワイヤ１０２１への電圧の印加時間を読み出す。そして、回転速度設定部２２４は、周速比記憶部１１１に記憶されている帯電部１０２の帯電ワイヤ１０２１への電圧の印加時間に応じて研磨ローラ１０４１と感光体ドラム１０１との周速比を設定したテーブルを参照し、読み出した帯電部１０２の帯電ワイヤ１０２１への電圧の印加時間に対応する周速比を選択する。回転速度設定部２２４は、感光体ドラム１０１の回転速度を予め記憶しており、選択した周速比に基づいて、研磨ローラ１０４１の回転速度を設定する。
【０１０９】
すなわち、回転速度設定部２２４は、周速比記憶部１１１に記憶されているテーブルから選択した周速比を、予め記憶されている感光体ドラム１０１の回転速度に乗算することにより、研磨ローラ１０４１の回転速度を算出して設定する。回転速度設定部２２４は、設定した回転速度で研磨ローラ１０４１を駆動するべく研磨ローラ駆動部７０１へ制御信号を出力する。
【０１１０】
このように、感光体ドラム１０１の駆動時間及び帯電部１０２の電圧印加時間の少なくとも一方に応じて研磨モード時における研磨ローラ１０４１と感光体ドラム１０１との周速比が変化される。例えば、感光体ドラム１０１の駆動時間及び帯電部１０２の電圧印加時間の少なくとも一方が長くなるに従って、研磨ローラ１０４１と感光体ドラム１０１との周速比が大きくなるように研磨ローラ１０４１又は感光体ドラム１０１の駆動を制御することにより、放電生成物を確実に除去することができ、感光体ドラム１０１の周面に対して常に最適の研磨処理を施すことができる。
【０１１１】
なお、第２の実施の形態において、感光体ドラム１０１の駆動時間及び帯電部１０２の電圧印加時間の少なくとも一方に応じて研磨モード時における研磨ローラ１０４１と感光体ドラム１０１との周速比を変化させるだけでなく、第１の実施の形態のように直流バイアス電圧を変更してもよい。
【０１１２】
（第３の実施の形態）
次に、本発明の第３の実施の形態に係る画像形成装置について説明する。上述した第２の実施の形態では、感光体ドラム１０１の駆動時間、及び帯電部１０２の電圧印加時間のうちの少なくとも一方に応じて研磨ローラと感光体ドラムとの周速比を変更している。これに対し、第３の実施の形態では、感光体ドラム１０１の駆動時間、及び帯電部１０２の電圧印加時間のうちの少なくとも一方に応じて研磨ローラの駆動時間を変更する。
【０１１３】
図８は、第３の実施の形態における複写機１の構成を示すブロック図である。なお、図８において、図３及び６と同じ構成については同じ符号を付し、説明を省略する。主制御部２０には、研磨ローラ駆動部７０１が接続されている。研磨条件制御部２２は、感光体ドラム駆動時間記憶部２２２及び研磨ローラ駆動時間設定部２２５を備える。画像形成部１００は、タイミング枚数記憶部１０９、研磨ローラ駆動時間記憶部１１２及び研磨時間記憶部１０９１を備える。
【０１１４】
研磨ローラ駆動時間設定部２２５は、感光体ドラム１０１の駆動時間に応じて研磨ローラ１０４１の駆動時間を設定するとともに、設定した駆動時間だけ研磨ローラ１０４１を駆動するべく研磨ローラ駆動部７０１へ制御信号を出力する。
【０１１５】
具体的には、研磨ローラ駆動時間設定部２２５は、感光体ドラム１０１の駆動時間が長くなるに従って、研磨ローラ１０４１の駆動時間が長くなるように設定する。これにより、感光体ドラム１０１の駆動時間が長くなるに従って、研磨ローラ１０４１の駆動時間が長くなるように制御される。
【０１１６】
研磨ローラ駆動時間記憶部１１２には、研磨モードにおいて感光体ドラム１０１の駆動時間に応じて研磨ローラ１０４１の駆動時間を設定したテーブルが記憶されている。このテーブルには、感光体ドラム１０１の駆動時間と、研磨ローラ１０４１の駆動時間とが対応付けられている。研磨ローラ１０４１の駆動時間は、感光体ドラム１０１の駆動時間が長くなるに従って、長くなるように設定されている。
【０１１７】
ここで、第３の実施の形態における感光体ドラム１０１の周面の研磨処理の流れについて図４を用いて説明する。なお、ステップＳ１〜Ｓ４，Ｓ６〜Ｓ８の処理は同じであるので説明を省略する。
【０１１８】
ステップＳ５において、研磨ローラ駆動時間設定部２２５は、感光体ドラム駆動時間記憶部２２２に記憶されている感光体ドラム１０１の駆動時間を読み出す。そして、研磨ローラ駆動時間設定部２２５は、研磨ローラ駆動時間記憶部１１２に記憶されている感光体ドラム１０１の駆動時間に応じて研磨ローラ１０４１の駆動時間を設定したテーブルを参照し、読み出した感光体ドラム１０１の駆動時間に対応する研磨ローラ１０４１の駆動時間を選択する。研磨ローラ駆動時間設定部２２５は、選択した研磨ローラ１０４１の駆動時間を研磨時間記憶部１０９１に設定する。これにより、研磨ローラ駆動時間設定部２２５は、設定した研磨ローラ１０４１の駆動時間の間だけ、研磨ローラ１０４１を駆動するための制御信号を研磨ローラ駆動部７０１へ出力する。
【０１１９】
なお、本実施の形態では、感光体ドラム１０１の駆動時間に応じて研磨ローラ１０４１の駆動時間を変更しているが、本発明は特にこれに限定されない。帯電部１０２の帯電ワイヤ１０２１への電圧の印加時間に応じて研磨ローラ１０４１の駆動時間を変更してもよい。図９は、第３の実施の形態における複写機１の別の構成を示すブロック図である。図９において、図５及び図８に示す複写機１と同じ構成については同じ符号を付し、説明を省略する。
【０１２０】
図９に示す複写機１は、図８の感光体ドラム駆動時間計測部６００に代えて帯電電圧印加時間計測部６０１を備える。また、研磨条件制御部２２は、帯電部１０２が備える帯電ワイヤ１０２１への電圧印加時間に応じて研磨条件を制御し、研磨ローラ駆動時間設定部２２５及び帯電電圧印加時間記憶部２２３を備える。研磨ローラ駆動時間設定部２２５は、帯電部１０２の帯電ワイヤ１０２１への電圧の印加時間に応じて研磨ローラ１０４１の駆動時間を設定するとともに、設定した駆動時間だけ研磨ローラ１０４１を駆動するべく研磨ローラ駆動部７０１へ制御信号を出力する。
【０１２１】
具体的には、研磨ローラ駆動時間設定部２２５は、帯電部１０２の帯電ワイヤ１０２１への電圧の印加時間が長くなるに従って、研磨ローラ１０４１の駆動時間が長くなるように設定する。これにより、帯電部１０２の帯電ワイヤ１０２１への電圧の印加時間が長くなるに従って、研磨ローラ１０４１の駆動時間が長くなるように制御される。
【０１２２】
研磨ローラ駆動時間記憶部１１２には、研磨モードにおいて帯電部１０２の帯電ワイヤ１０２１への電圧の印加時間に応じて研磨ローラ１０４１の駆動時間を設定したテーブルが記憶されている。このテーブルには、帯電部１０２の帯電ワイヤ１０２１への電圧の印加時間と、研磨ローラ１０４１の駆動時間とが対応付けられている。研磨ローラ１０４１の駆動時間は、帯電部１０２の帯電ワイヤ１０２１への電圧の印加時間が長くなるに従って、長くなるように設定されている。
【０１２３】
ここで、第３の実施の形態の変形例における感光体ドラム１０１の周面の研磨処理の流れについて図４を用いて説明する。なお、ステップＳ１〜Ｓ４，Ｓ６〜Ｓ８の処理は同じであるので説明を省略する。
【０１２４】
ステップＳ５において、研磨ローラ駆動時間設定部２２５は、帯電電圧印加時間記憶部２２３に記憶されている帯電部１０２の帯電ワイヤ１０２１への電圧の印加時間を読み出す。そして、研磨ローラ駆動時間設定部２２５は、研磨ローラ駆動時間記憶部１１２に記憶されている帯電部１０２の電圧印加時間に応じて研磨ローラ１０４１の駆動時間を設定したテーブルを参照し、読み出した帯電部１０２の電圧印加時間に対応する研磨ローラ１０４１の駆動時間を選択する。研磨ローラ駆動時間設定部２２５は、選択した研磨ローラ１０４１の駆動時間を研磨時間記憶部１０９１に設定する。これにより、研磨ローラ駆動時間設定部２２５は、設定した研磨ローラ１０４１の駆動時間の間だけ、研磨ローラ１０４１を駆動するための制御信号を研磨ローラ駆動部７０１へ出力する。
【０１２５】
このように、感光体ドラム１０１の駆動時間及び帯電部１０２の電圧印加時間の少なくとも一方に応じて研磨モード時における研磨ローラ１０４１の駆動時間が変化される。例えば、感光体ドラム１０１の駆動時間及び帯電部１０２の電圧印加時間の少なくとも一方が長くなるに従って、研磨ローラ１０４１の駆動時間が長くなるように研磨ローラ１０４１の駆動を制御することにより、放電生成物を確実に除去することができ、感光体ドラム１０１の周面に対して常に最適の研磨処理を施すことができる。
【０１２６】
なお、第３の実施の形態において、感光体ドラム１０１の駆動時間及び帯電部１０２の電圧印加時間の少なくとも一方に応じて研磨モード時における研磨ローラ１０４１の駆動時間を変化させるだけでなく、第１の実施の形態のように直流バイアス電圧を変更してもよいし、第２の実施の形態のように研磨ローラ１０４１と感光体ドラム１０１との周速比を変更してもよい。
【０１２７】
なお、上記の各実施の形態においては、画像形成装置として複写機１を例に挙げて説明したが、本発明は、画像形成装置が複写機１であることに限定されるものではなく、遠隔地から伝送された画像情報に基づき画像を形成するファクシミリ装置であってもよいし、コンピュータ等の外部機器からの画像情報に基づき画像形成処理を実行するプリンタ等であってもよい。また、画像形成装置は、複写機、ファクシミリ装置及びプリンタの機能を備える複合機であってもよい。
【０１２８】
また、上記の各実施の形態においては、本発明に係る画像形成装置（複写機１）としてモノクロ印刷用のものを例として挙げているが、本発明は画像形成装置がモノクロ印刷用のものであることに限定されるものではなく、カラー印刷が可能な画像形成装置（いわゆるカラー機）であってもよい。
【実施例１】
【０１２９】
本発明の効果を確認するべく、感光体ドラム１０１の駆動時間に応じて現像ローラ１０３１を介して印加される直流バイアス電圧Ｖｄｃ２を種々変化させた上で、実際に研磨ローラ１０４１の駆動で当該トナーによる感光体ドラム１０１周面の研磨処理を実行し、引き続き実際に画像形成処理を行った。そして、画像形成処理の結果得られた転写処理済みの用紙を目視観察することにより画像形成の状態を検査した。
【０１３０】
この試験では、第１の実施の形態における複写機１を用いた。感光体ドラム１０１は、直径が３０ｍｍ、ａ−Ｓｉ層の厚み寸法が２０μｍである。感光体ドラム１０１の周面に帯電ワイヤ１０２１からの放電処理を施し、表面電位Ｖ０を３００Ｖに設定した。
【０１３１】
また、この機種の現像ローラ１０３１は、直径が２０ｍｍ、層規制ブレード１０３３と現像ローラ１０３１周面との間の隙間寸法が０．５５ｍｍである。また、現像ローラ１０３１の周面と感光体ドラム１０１の周面との間の隙間寸法は０．５０ｍｍに設定されている。さらに、研磨ローラ１０４１と感光体ドラム１０１との周速比は、１．２に設定されている。
【０１３２】
このような現像ローラ１０３１には、画像形成モードにおいて、周波数６ｋＨｚで１．６ｋＶの交流バイアス電圧と、１８０Ｖの直流バイアス電圧Ｖｄｃ１とが印加される。感光体ドラム１０１の駆動時間に応じて予め設定された条件、すなわち感光体ドラム１０１の表面電位Ｖ０の値から現像ローラ１０３１に印加される直流バイアス電圧Ｖｄｃ２の値を差し引いた表１に示す値（Ｖ０−Ｖｄｃ２）になる条件で直流バイアス電圧Ｖｄｃ２のみを現像ローラ１０３１に対して２０秒間印加した。なお、表１中には、「Ｖ０−Ｖｄｃ２」の値を示し、特に括弧内に直流バイアス電圧Ｖｄｃ２の値を示している。
【０１３３】
【表１】
2007199258.tif 000003
【０１３４】
そして、感光体ドラム１０１の駆動時間毎に感光体ドラム１０１に対する２０秒間の研磨処理を行った後に、複写機１により実際に画像形成処理を実行し、印刷された用紙の画像を目視で観察したが、いずれについても画像流れのない良好な画像であることを確認することができた。
【０１３５】
感光体ドラム１０１の駆動時間が５００時間未満の場合、Ｖ０−Ｖｄｃ２の値が１００Ｖとなる直流バイアス電圧Ｖｄｃ２を印加することで、画像流れのない良好な画像を得ることができた。また、感光体ドラム１０１の駆動時間が５００時間から１０００時間の場合、Ｖ０−Ｖｄｃ２の値が８０Ｖとなる直流バイアス電圧Ｖｄｃ２を印加することで、画像流れのない良好な画像を得ることができた。さらに、感光体ドラム１０１の駆動時間が１０００時間から１５００時間の場合、Ｖ０−Ｖｄｃ２の値が６０Ｖとなる直流バイアス電圧Ｖｄｃ２を印加することで、画像流れのない良好な画像を得ることができた。さらにまた、感光体ドラム１０１の駆動時間が１５００時間以上の場合、Ｖ０−Ｖｄｃ２の値が４０Ｖとなる直流バイアス電圧Ｖｄｃ２を印加することで、画像流れのない良好な画像を得ることができた。
【０１３６】
第１の実施の形態の場合、直流バイアス電圧記憶部１０８には、上記の表１に示すテーブルが記憶される。このように、感光体ドラム１０１の駆動時間が長くなるにつれて、Ｖ０−Ｖｄｃ２の値が小さくなるように直流バイアス電圧Ｖｄｃ２を印加する。これにより、画像流れのない良好な画像を得ることができる。
【０１３７】
また、帯電部１０２の帯電ワイヤ１０２１への電圧の印加時間に応じて予め設定された条件、すなわち感光体ドラム１０１の表面電位Ｖ０の値から現像ローラ１０３１に印加される直流バイアス電圧Ｖｄｃ２の値を差し引いた表２に示す値（Ｖ０−Ｖｄｃ２）になる条件で直流バイアス電圧Ｖｄｃ２のみを現像ローラ１０３１に対して２０秒間印加した。なお、表２中には、「Ｖ０−Ｖｄｃ２」の値を示し、特に括弧内に直流バイアス電圧Ｖｄｃ２の値を示している。
【０１３８】
【表２】
2007199258.tif 000004
【０１３９】
そして、帯電部１０２の電圧印加時間毎に感光体ドラム１０１に対する２０秒間の研磨処理を行った後に、複写機１により実際に画像形成処理を実行し、印刷された用紙の画像を目視で観察したが、いずれについても画像流れのない良好な画像であることを確認することができた。
【０１４０】
帯電部１０２の電圧印加時間が４００時間未満の場合、Ｖ０−Ｖｄｃ２の値が１００Ｖとなる直流バイアス電圧Ｖｄｃ２を印加することで、画像流れのない良好な画像を得ることができた。また、帯電部１０２の電圧印加時間が４００時間から８００時間の場合、Ｖ０−Ｖｄｃ２の値が８０Ｖとなる直流バイアス電圧Ｖｄｃ２を印加することで、画像流れのない良好な画像を得ることができた。さらに、帯電部１０２の電圧印加時間が８００時間から１２００時間の場合、Ｖ０−Ｖｄｃ２の値が６０Ｖとなる直流バイアス電圧Ｖｄｃ２を印加することで、画像流れのない良好な画像を得ることができた。さらにまた、帯電部１０２の電圧印加時間が１２００時間以上の場合、Ｖ０−Ｖｄｃ２の値が４０Ｖとなる直流バイアス電圧Ｖｄｃ２を印加することで、画像流れのない良好な画像を得ることができた。
【０１４１】
第１の実施の形態の変形例の場合、直流バイアス電圧記憶部１０８には、上記の表２に示すテーブルが記憶される。このように、帯電部１０２の電圧印加時間が長くなるにつれて、Ｖ０−Ｖｄｃ２の値が小さくなるように直流バイアス電圧Ｖｄｃ２を印加する。これにより、画像流れのない良好な画像を得ることができる。
【実施例２】
【０１４２】
実施例２においては、実施例１と同様に感光体ドラム１０１の駆動時間を区分した上で、各区分に先の現像ローラ１０３１へ印加する直流バイアス電圧Ｖｄｃ２に代えて研磨ローラ１０４１と感光体ドラム１０１との間の周速比を表３に示すように変更する。なお、現像ローラ１０３１に印加される直流バイアス電圧Ｖｄｃ２については一定の値である２００Ｖに設定している。その他の条件については実施例１の場合と同様である。
【０１４３】
【表３】
2007199258.tif 000005
【０１４４】
そして、感光体ドラム１０１の駆動時間毎にそれぞれの周速比で感光体ドラム１０１に対する２０秒間の研磨処理を行った後に、複写機１により実際に画像形成処理を実行し、印刷された用紙の画像を目視で観察したが、いずれについても画像流れのない良好な画像であることを確認することができた。
【０１４５】
感光体ドラム１０１の駆動時間が５００時間未満の場合、研磨ローラ１０４１と感光体ドラム１０１との周速比を１．２にすることで、画像流れのない良好な画像を得ることができた。また、感光体ドラム１０１の駆動時間が５００時間から１０００時間の場合、研磨ローラ１０４１と感光体ドラム１０１との周速比を１．４にすることで、画像流れのない良好な画像を得ることができた。さらに、感光体ドラム１０１の駆動時間が１０００時間から１５００時間の場合、研磨ローラ１０４１と感光体ドラム１０１との周速比を１．６にすることで、画像流れのない良好な画像を得ることができた。さらにまた、感光体ドラム１０１の駆動時間が１５００時間以上の場合、研磨ローラ１０４１と感光体ドラム１０１との周速比を１．８にすることで、画像流れのない良好な画像を得ることができた。
【０１４６】
第２の実施の形態の場合、周速比記憶部１１１には、上記の表３に示すテーブルが記憶される。このように、感光体ドラム１０１の駆動時間が長くなるにつれて、研磨ローラ１０４１と感光体ドラム１０１との周速比が大きくなるように研磨ローラ１０４１を駆動する。これにより、画像流れのない良好な画像を得ることができる。
【０１４７】
また、帯電部１０２の帯電ワイヤ１０２１への電圧の印加時間に応じて予め設定された条件、すなわち研磨ローラ１０４１と感光体ドラム１０１との周速比が表４に示す値になる条件で研磨ローラ１０４１を駆動した。
【０１４８】
【表４】
2007199258.tif 000006
【０１４９】
そして、帯電部１０２の電圧印加時間毎に感光体ドラム１０１に対する２０秒間の研磨処理を行った後に、複写機１により実際に画像形成処理を実行し、印刷された用紙の画像を目視で観察したが、いずれについても画像流れのない良好な画像であることを確認することができた。
【０１５０】
帯電部１０２の電圧印加時間が４００時間未満の場合、研磨ローラ１０４１と感光体ドラム１０１との周速比を１．２にすることで、画像流れのない良好な画像を得ることができた。また、帯電部１０２の電圧印加時間が４００時間から８００時間の場合、研磨ローラ１０４１と感光体ドラム１０１との周速比を１．４にすることで、画像流れのない良好な画像を得ることができた。さらに、帯電部１０２の電圧印加時間が８００時間から１２００時間の場合、研磨ローラ１０４１と感光体ドラム１０１との周速比を１．６にすることで、画像流れのない良好な画像を得ることができた。さらにまた、帯電部１０２の電圧印加時間が１２００時間以上の場合、研磨ローラ１０４１と感光体ドラム１０１との周速比を１．８にすることで、画像流れのない良好な画像を得ることができた。
【０１５１】
第２の実施の形態の変形例の場合、周速比記憶部１１１には、上記の表４に示すテーブルが記憶される。このように、帯電部１０２の電圧印加時間が長くなるにつれて、研磨ローラ１０４１と感光体ドラム１０１との周速比が大きくなるように研磨ローラ１０４１を駆動する。これにより、画像流れのない良好な画像を得ることができる。
【実施例３】
【０１５２】
実施例３においては、実施例１と同様に感光体ドラム１０１の駆動時間を区分した上で、各区分に先の現像ローラ１０３１へ印加する直流バイアス電圧Ｖｄｃ２に代えて研磨ローラ１０４１の駆動時間を表５に示すように変更する。なお、現像ローラ１０３１に印加される直流バイアス電圧Ｖｄｃ２については一定の値である２００Ｖに設定している。その他の条件については実施例１の場合と同様である。
【０１５３】
【表５】
2007199258.tif 000007
【０１５４】
そして、感光体ドラム１０１の駆動時間毎にそれぞれの研磨ローラ１０４１の駆動時間で感光体ドラム１０１に対する研磨処理を行った後に、複写機１により実際に画像形成処理を実行し、印刷された用紙の画像を目視で観察したが、いずれについても画像流れのない良好な画像であることを確認することができた。
【０１５５】
感光体ドラム１０１の駆動時間が５００時間未満の場合、研磨ローラ１０４１の駆動時間を２０秒にすることで、画像流れのない良好な画像を得ることができた。また、感光体ドラム１０１の駆動時間が５００時間から１０００時間の場合、研磨ローラ１０４１の駆動時間を３０秒にすることで、画像流れのない良好な画像を得ることができた。さらに、感光体ドラム１０１の駆動時間が１０００時間から１５００時間の場合、研磨ローラ１０４１の駆動時間を４０秒にすることで、画像流れのない良好な画像を得ることができた。さらにまた、感光体ドラム１０１の駆動時間が１５００時間以上の場合、研磨ローラ１０４１の駆動時間を５０秒にすることで、画像流れのない良好な画像を得ることができた。
【０１５６】
第３の実施の形態の場合、研磨ローラ駆動時間記憶部１１２には、上記の表５に示すテーブルが記憶される。このように、感光体ドラム１０１の駆動時間が長くなるにつれて、研磨ローラ１０４１の駆動時間が長くなるように研磨ローラ１０４１を駆動する。これにより、画像流れのない良好な画像を得ることができる。
【０１５７】
また、帯電部１０２の帯電ワイヤ１０２１への電圧の印加時間に応じて予め設定された条件、すなわち研磨ローラ１０４１の駆動時間が表６に示す値になる条件で研磨ローラ１０４１を駆動した。
【０１５８】
【表６】
2007199258.tif 000008
【０１５９】
そして、帯電部１０２の電圧印加時間毎にそれぞれの研磨ローラ１０４１の駆動時間で感光体ドラム１０１に対する研磨処理を行った後に、複写機１により実際に画像形成処理を実行し、印刷された用紙の画像を目視で観察したが、いずれについても画像流れのない良好な画像であることを確認することができた。
【０１６０】
帯電部１０２の電圧印加時間が４００時間未満の場合、研磨ローラ１０４１の駆動時間を２０秒にすることで、画像流れのない良好な画像を得ることができた。また、帯電部１０２の電圧印加時間が４００時間から８００時間の場合、研磨ローラ１０４１の駆動時間を３０秒にすることで、画像流れのない良好な画像を得ることができた。さらに、帯電部１０２の電圧印加時間が８００時間から１２００時間の場合、研磨ローラ１０４１の駆動時間を４０秒にすることで、画像流れのない良好な画像を得ることができた。さらにまた、帯電部１０２の電圧印加時間が１２００時間以上の場合、研磨ローラ１０４１の駆動時間を５０秒にすることで、画像流れのない良好な画像を得ることができた。
【０１６１】
第３の実施の形態の変形例の場合、研磨ローラ駆動時間記憶部１１２には、上記の表６に示すテーブルが記憶される。このように、帯電部１０２の電圧印加時間が長くなるにつれて、研磨ローラ１０４１の駆動時間が長くなるように研磨ローラ１０４１を駆動する。これにより、画像流れのない良好な画像を得ることができる。
【図面の簡単な説明】
【０１６２】
【図１】本発明に係る画像形成装置の一例である複写機の内部構成の概要を説明するための正面断面視の説明図である。
【図２】ユニット構成されたドラムユニット部の一実施の形態の概要を説明するための正面断面視の説明図である。
【図３】第１の実施の形態における複写機の構成を示すブロック図である。
【図４】研磨モードにおける感光体ドラム周面の研磨処理の流れの一実施の形態を示すフローチャートである。
【図５】第１の実施の形態における複写機の別の構成を示すブロック図である。
【図６】第２の実施の形態における複写機の構成を示すブロック図である。
【図７】第２の実施の形態における複写機の別の構成を示すブロック図である。
【図８】第３の実施の形態における複写機の構成を示すブロック図である。
【図９】第３の実施の形態における複写機の別の構成を示すブロック図である。
【符号の説明】
【０１６３】
１    複写機
１８    枚数センサ
１９    電源装置
２０    主制御部
２１    研磨タイミング判別部
２２    研磨条件制御部
３０    画像記憶部
４０    画像処理部
１００    画像形成部
１０１    感光体ドラム
１０８    直流バイアス電圧記憶部
１０９    タイミング枚数記憶部
１１１    周速比記憶部
１１２    研磨ローラ駆動時間記憶部
２００    原稿給送部
２２１    直流バイアス電圧設定部
２２２    感光体ドラム駆動時間記憶部
２２３    帯電電圧印加時間記憶部
２２４    回転速度設定部
２２５    研磨ローラ駆動時間設定部
３００    原稿読取部
４００    給紙部
５００    操作表示部
６００    感光体ドラム駆動時間計測部
６０１    帯電電圧印加時間計測部
７００    感光体ドラム駆動部
７０１    研磨ローラ駆動部
１０３１    現像ローラ
１０４１    研磨ローラ
１０９１    研磨時間記憶部
【図１】
2007199258.tif 000009
【図２】
2007199258.tif 000010
【図３】
2007199258.tif 000011
【図４】
2007199258.tif 000012
【図５】
2007199258.tif 000013
【図６】
2007199258.tif 000014
【図７】
2007199258.tif 000015
【図８】
2007199258.tif 000016
【図９】
2007199258.tif 000017